(57)【特許請求の範囲】
【請求項１】
時計のムーブメント（３；１１４，１１５）の作動を制御する時計用電子回路であって、
レジスタ（１０４，１０５，１０８及び１０９）に伝送されるデータ値を含む不揮発性メモリに接続された制御論理回路中に実現された制御機能部を含む第１の集積回路（１；１００）と、
周辺部材（３；１１４，１１５，１１６）及び前記周辺部材（３；１１４，１１５，１１６）に接続され、前記時計の周辺部材（３；１１４，１１５，１１６）と相互作用するように構成された周辺部材ドライバ（２１；１１１，１１２）と、
前記第１の集積回路（１；１００）にクロック基準周波数を提供する水晶振動子（１１；１１７）と、及び
前記周辺部材ドライバ（２１；１１１，１１２）、前記水晶振動子（１１；１１７）、前記不揮発性メモリ及び前記制御論理回路が、前記時計の作動に関係するデータを相互に通信できるように配置された接続手段と、
を含み、
前記時計用電子回路はさらに、プログラマブルメモリに接続されたマイクロプロセッサを含む、前記第１の集積回路とは別個に設けられた第２の制御回路としてのマイクロコントローラ（２）を含み、前記第１の集積回路（１；１００）及び前記マイクロコントローラ（２）は、読み書き可能なレジスタ（１６；３６）を含み、前記第１の集積回路（１；１００）は、インターフェース（６）を含み、前記マイクロコントローラ（２）はさらなるインターフェース（２６）を含み、前記マイクロコントローラ（２）は、前記マイクロコントローラ（２）と前記第１の集積回路（１；１００）の間で前記レジスタ（１６；３６）から読み出され、前記レジスタ（１６；３６）に書き込まれるデータの双方向情報交換を可能にする前記インターフェース（６及び２６）によって前記第１の集積回路（１；１００）に接続されており、
前記インターフェース（６；２６）に対して前記読み書き可能なレジスタ（１６；３６）が、前記マイクロコントローラ（２）からの命令に基づき前記第１の集積回路（１；１００）に、設定若しくは読取データ及び／又は時刻情報を送信するために設けられており、、
前記時計用電子回路が、前記第１の集積回路（１；１００）から、前記インターフェース（６；２６）を介して前記マイクロコントローラ（２）に伝送される命令として前記マイクロコントローラ（２）に作用し得る条件制御手段をさらに含み、
前記条件制御手段の信号が、前記マイクロコントローラ（２）をスリープモードにするか、又は前記マイクロコントローラ（２）をウェークアップするように構成されている、時計用電子回路。
【請求項２】
前記条件制御手段は、
アクティブ状態において、前記第１の集積回路（１；１００）の時計レジスタ（１０４）から正確な時間を読み取り、及び、前記インターフェース（６；２６）を介して前記時計レジスタ（１０４）に正確な時間を設定するように構成される前記マイクロコントローラ（２）を含み、
前記マイクロコントローラ（２）は、前記アクティブ状態において、起動アラーム時間を計算し、周辺部材に対する次の動作のために、前記インターフェース（６；２６）を介して前記第１の集積回路（１：１００）の所定のレジスタ（１０９）にアラームを設定し、その後にシャットダウンされるように構成され、
前記第１の集積回路（１；１００）は、プログラムされた前記時間の信号を、前記マイクロコントローラ（２）を起動するための信号として受け付けるように構成される、請求項１に記載の時計用電子回路。
【請求項３】
前記第１の集積回路（１；１００）は、当該第１の集積回路（１；１００）への起動信号としての起動アラーム時間信号が送信されると、前記インターフェース（６；２６）を介してマイクロコントローラー（２）に送り返される当該マイクロコントローラをシャットダウンするためのシャットダウン信号を生成するように構成される、請求項２に記載の時計用電子回路。
【請求項４】
前記インターフェース（６；２６）が、シリアルインターフェースである請求項１〜３のいずれかに記載の時計用電子回路。
【請求項５】
前記第１の集積回路の不揮発性メモリが、ＯＴＰメモリである、請求項１〜４のいずれかに記載の時計用電子回路。
【請求項６】
前記インターフェース（６；２６）が、さらにスマートウォッチ関連機能のためのさらなる周辺部材（４）に接続されている、請求項１〜５のいずれかに記載の時計用電子回路。
【請求項７】
前記時計用電子回路が、前記マイクロコントローラ（２）に対して直接的に作用し得る条件制御手段（condition control means）をさらに含む、請求項１〜６のいずれかに記載の時計用電子回路。
【請求項８】
前記条件制御手段が、ユーザ関連押釦である、請求項７に記載の時計用電子回路。
【請求項９】
前記条件制御手段が、センサ出力である、請求項７に記載の時計用電子回路。
【請求項１０】
前記センサ出力が、電池関連信号、光入力関連信号若しくは温度関連トリガー信号等の物理翻訳された信号（physical translated signal）を提供する、請求項９に記載の時計用電子回路。
【請求項１１】
前記シリアルインターフェースが、Ｉ２Ｃインターフェースである請求項４に記載の時計用電子回路。
【発明の詳細な説明】
【技術分野】
【０００１】
本発明は、アナログ針又はＬＥＤ（LED’s)、ＬＣＤ若しくは電子インク等の時刻表示手段を有する時計(watch）の作動（operation）を制御するための電子回路、並びに当該電子回路で用いるための集積回路に関する。
【背景技術】
【０００２】
特許文献１は後に許可されて特許文献２として公開されており、時計の作動を制御するための電子回路を開示しており、該電子回路は、時計の周囲部材（peripheral members）と相互に作用するためのプロセッサを含む。この回路は、コントローラによる時計の周辺部材の及び周辺部材に対する入出力を可能にする初期化手段を有する。この先行技術による１つの方法は、プロセッサを、受動モードから能動モードに切り替え、それにより前記能動モードがプロセッサに命令を実行させることを可能にする。プロセッサは、時計の少なくとも１つの周辺部材から割り込み信号（interruption signal）を受け取り、該信号は接続手段を介してプロセッサに伝送され；前記プロセッサがスイッチをオンにし、前記割り込み信号に関連する命令を実行し、一旦前記命令を実行すると前記プロセッサを再び受動モードにするか、又はスタンバイモードにして、時計用電子回路全体の電力消費を減らす。必須の周辺部材の１つは、運針又は時刻をデジタル表示する、時計の機能を実行するために用いられるシステムである。
【０００３】
特許文献３は、異なる通信要素が組み合わされる接続型装置用のプラットフォームを開示する。これは、特に、異なるメディアへのワイヤレスアクセスを提供する、スマートウォッチ、接続型音楽プレイヤー、スマートフォン、タブレットコンピュータ、及びｅブックリーダーを含むと記載している。特許文献３は、スマートウォッチが追加的なワイヤレスリンクによる電力消費を低減し、コイン型電池の使用を可能にすると記載している。これらの時計は、通常、豊富なインターフェースを有し、時計面にテキストを表示する。これらの装置のユーザは、そのサイズが小さいためにテキストが読めない、デジタルディスプレイはあまりエレガントではない、アナログ時計の方が好ましいという不満をしばしば言う。特許文献３の図３は、伝統的なアナログ針とアナログムーブメントの背後のデジタルディスプレイを組み合わせている。
【０００４】
特許文献４は、初期化手段にプロセッサが干渉しない時計の周辺部材に作用する初期化手段を提供する。
【０００５】
特許文献５は、２つの電源ドメインを有する時間管理電子回路を開示する。電力は、２つの電源のうちの対応する一方の電源によって各電源供給ドメインに供給される。時間管理レジスタは、各電源ドメインに対して二重化されている。一方の時間管理レジスタが修正された場合、又は一方の電源がオフになりその後にオンに戻る場合、時間管理レジスタは電源ドメインの間で同期される。時間管理回路は、システムに対し１枚のシリコンを用いる。レジスタを二重化することで電力を節約する。しかし、マイクロプロセッサがウェークアップする度に、同期し、レジスタを設定する。この作動は、追加の電力を使用する。さらに、特許文献５は、ＲＴＣに関する。リアルタイムクロックは、モーター又はモータードライバを有しておらず、時計ムーブメントを駆動できるチップではない。
【０００６】
特許文献６は、地電位を参照する低電圧マイクロコントローラ及び光分離装置を含むシリアルデータリンクを介してマイクロコントローラに結合された波形発生器を含む、独立した可変周波数ＡＣインバータ制御を記載している。波形発生器は、インバータ用の直流（ＤＣ）電源の負極バス電位で浮動している。波形発生器は、マイクロコンピュータの制御下でインバータに対する切り替え信号を作り出す。波形発生器、シリアル通信回路及び他の支援回路が、単独使用の具体的な集積回路の全部分である。
【０００７】
特許文献７は、Ｉ２Ｃ回路を用いてマイクロコントローラがマイクロプロセッサをウェークアップさせる機能、及びマイクロコントローラがウェークアップ信号を受けたときの割り込みに関する。一方、本発明では通常、時計チップ内にＩ２Ｃ回路を用いない。
【先行技術文献】
【特許文献】
【０００８】
【特許文献１】US 2009/135678
【特許文献２】US 8,130,596 B2
【特許文献３】US 2013/0303087 Al
【特許文献４】US 5,289,452
【特許文献５】EP 2 541 347 A2
【特許文献６】US 5,045,988
【特許文献７】US 6,047,380
【発明の概要】
【発明が解決しようとする課題】
【０００９】
この先行技術に基づき、本発明は、様々な周辺機能をサポートする適応性を有しながら、通常の時計の作動の際の電池残量の消費を抑えることができるアナログ針若しくは他の表示手段を有する時計の作動を制御するための改良された時計用電子回路を提供することを目的とする。ここで説明する回路はアナログ針を制御するが、ＬＥＤ、ＬＣＤ又は電子インクに基づく時刻表示の別の形態を制御するようにもできる。
【課題を解決するための手段】
【００１０】
本願発明の実施形態による、アナログ針を有する時計の作動を制御する時計用電子回路は、必要なタイミング及び機能性パラメーターを定義するレジスタに伝送されるデータ値を含む、不揮発性メモリに接続された制御論理回路中に実現された制御機能部を有する第１の集積回路（ＡＳＩＣ）、前記ＡＳＩＣにクロック基準周波数を提供する水晶振動子、及び前記レジスタ、前記不揮発性メモリ及び前記制御論理回路が、前記時計の作動に関係するデータ値の通信を可能にするように配置された接続手段、及び前記時計の針、又はアラーム等の他の低電力時計機能部を駆動するドライバを含む。
【００１１】
前記電子回路は、時計のムーブメントの作動を制御する時計用電子回路であって、
レジスタに伝送されるデータ値を含む、ＯＴＰメモリを含む不揮発性メモリに接続された制御論理回路中に実現された制御機能部を含む第１の集積回路と、
周辺部材及び前記周辺部材に接続され、前記時計の周辺部材（と相互作用するように構成された周辺部材ドライバと、
前記第１の集積回路にクロック基準周波数を提供する水晶振動子と、及び
前記周辺部材ドライバ、前記水晶振動子、前記不揮発性メモリ及び前記制御論理回路が、前記時計の作動に関係するデータを相互に通信できるように配置された接続手段と、
を含み、
前記時計用電子回路はさらに、プログラマブルメモリに接続されたマイクロプロセッサを含む、前記第１の集積回路とは別個に設けられた第２の制御回路としてのマイクロコントローラを含み、前記第１の電子回路及び前記マイクロコントローラは、読み書き可能なレジスタを含み、前記第１の集積回路は、インターフェースを含み、前記マイクロコントローラはさらなるインターフェースを含み、前記マイクロコントローラは、前記マイクロコントローラと前記第１の集積回路の間で前記レジスタから読み出され、前記レジスタに書き込まれるデータの双方向情報交換を可能にする前記インターフェースによって前記第１の集積回路に接続されている。
【００１２】
本発明による解決手段は、プロセッサ又はＣＰＵ又はマイクロコントローラを用いずに、自立した非ＣＰＵ解決手段を有する。任意の追加的なマイクロコントローラを非ＣＰＵ解決手段と共に用いてもよいが、それでもなお通常の時計機能が最も低い電力消費で達成され得るという点が、特に有利である。
【００１３】
インターフェースは、シリアルインターフェース、特にＩ２Ｃインターフェース又はＳＰＩインターフェースであってよい。それらは、パラレルインターフェースであってもよい。Ｉ２Ｃインターフェースの利点は、ＳＣＬ及びＳＤＡ接続による空間要求が低減された単純接続である。
【００１４】
第１の集積回路の不揮発性メモリは、ＯＴＰ（ワンタイムプログラマブル）メモリからなっていてもよい。追加の論理回路は、インターフェースの骨組み中の該書き換え可能なレジスタを有する。
【００１５】
第１の電子回路並びにマイクロコントローラは、各インターフェース、特に伝送データ及び／又は時間情報を読み書き可能なレジスタを含む。この情報は、特に、マイクロコントローラからの命令に基づく第１の電子回路のデータ及び／又は時間の設定に用いることができ、及び／又はその逆、即ち、第１の電子回路からの命令に基づくマイクロコントローラにおけるデータ及び／又は時間の設定に用いることができる。この情報は、アラーム機能及び／又は他の機能のためのデータを含んでいてもよい。
【００１６】
マイクロコントローラ及び第１の電子回路のインターフェースは、さらなるスマートウォッチに関連する機能、温度、ＧＰＳ位置情報、ＧＳＭ（登録商標）又はブルートゥース（登録商標）関連機能のためのさらなる周辺部材に接続されてもよい。
【００１７】
さらに、時計用電子回路は、特にユーザが関係する押釦又はマイクロコントローラへのセンサの出力として、マイクロコントローラに直接作用し得る、条件制御手段を有してもよい。そのようなセンサは、充電状態のような電池関連信号に基づく出力信号、文字盤の照明に基づくような光入力信号、又は閾値を介する温度関連入力信号を提供できる。このセンサの信号は、トリガー信号である。このようなトリガー信号は、次に、マイクロコントローラに作用する条件制御手段に影響を及ぼす。
【００１８】
追加的な条件制御手段は、第１の集積回路からインターフェースを介してマイクロコントローラに送信される命令を含んでいてもよい。そのとき、制御手段は、特に、第１の集積回路内のウェークアップ命令として提供される。
【００１９】
条件制御手段によって発信される信号は、マイクロコントローラをスリープモードにするか、又はマイクロコントローラをウェークアップさせるために適用される。
【００２０】
本発明はまた、レジスタに送信され、及び上記時計用電子回路を使用する時計の周辺部材と相互作用する、周辺部材のドライバに送信されるデータ値を含む不揮発性メモリに接続された制御論理回路中に実現される制御機能を含む集積回路を含む。
【００２１】
本発明のさらなる実施形態は、従属請求項に記載されている。
【００２２】
特許文献１は、周辺部材コントローラに作用してプロセッサの作動無しでデータを送ることによって該コントローラを初期化し、プロセッサ及び／又は不揮発性メモリとは独立して該コントローラに作動を実行させる初期化手段を有する時計用電子回路を用いる。先行技術（特許文献１）のＣＰＵがどのように制御されているかは説明されておらず；本発明では、別個のチップが用いられ、初期化はチップ内のＯＴＰを用いて行われる。別の実施形態では、該別個のチップは別個のマイクロコントローラ、例えば、ブルートゥース（登録商標）ＲＦチップから初期化されてもよい。
【００２３】
特許文献５は、二重化されたレジスタを提供する。本発明によるＡＳＩＣは、常時オンの単一のレジスタを有する。それにもかかわらず、ＡＳＩＣは、殆どの機能において公知の時計チップであり、前記レジスタへのアクセスが許可されていることに加えて、電力消費がより低い。
【図面の簡単な説明】
【００２４】
本発明の好ましい実施形態を、図面を参照して以下に説明するが、該図面は本発明の好ましい実施形態を具体的に説明するためのものであり、本発明を限定するものではない。図面中、
【００２５】
【図１】本発明の実施形態による接続型時計用ＡＳＩＣシステムを説明する図である。
【図２】本発明の実施形態による接続型時計用集積回路を示す。
【図３】本発明の実施形態によるシリアルインターフェースの時間に対する信号図である。
【００２６】
好ましい実施形態の説明
図１は、本発明の実施形態による接続型時計用ＡＳＩＣシステムを説明する図である。接続型時計用ＡＳＩＣ  １は、標準アナログ時計用ムーブメント３を駆動する。アナログムーブメントの機能は、これらに限定されないが、１０分の１秒等の１秒未満、秒、分、時間、潮汐、月相及びアラームを表示することを含んでもよい。典型的な時計用ＡＳＩＣは、３２’７６８Ｈｚのクロック発生のための外部の水晶振動子１１に接続された発振器、及び正確にタイミングを合わせた接続２１への駆動電流を、前記回路によって時計用ＡＳＩＣ内に生成された周波数に基づいて時計用ムーブメントのモーターに提供する内部回路を含む。
【００２７】
接続型時計用ＡＳＩＣ  １は、さらに、そのレジスタ１６にマイクロコントローラ２等の外部装置による読み書きを許可するインターフェース６を有する。インターフェース６は、さらなる機能を可能にする他の装置４と接続されていてもよい。
【００２８】
図示されているインターフェース６は、当業界で周知のＩ２Ｃシリアルインターフェースである。（別のシリアルインターフェースである）ＳＰＩ等の他のインターフェース又はパラレルインターフェースを用いることもできるが、シリアルインターフェースは接続が少ない利点を有し、これは時計のモジュール領域を小さくするのに重要である。
【００２９】
通常、ＳＤＡは、シリアルデータラインに関係し、ＳＣＬはシリアルクロックラインに関係する。１００ｋｂｉｔ／ｓ若しくは４００ｋｂｉｔ／ｓの伝送速度を有する通常の７又は１０ビットのアドレス空間は、時間及びデータ関係情報の伝送にとって充分である。
【００３０】
さらなるインターフェース２６は、マイクロコントローラ側に設けられ、ＡＳＩＣ上のマイクロコントローラと同一でなければならない。
【００３１】
ＡＳＩＣ  １内で使用されるインターフェース６のタイプによって、ＳＰＩ若しくはパラレルインターフェース等の他のインターフェース２６は、ＡＳＩＣのインターフェース６と組み合わせて用いてもよい。このとき、マイクロコントローラ２のインターフェース２６は、そのレジスタ３６がＡＳＩＣ  １によって読み書きされることを可能にする。インターフェース２６は、さらなる機能を可能にする他の装置４に接続されていてもよい。
【００３２】
システムは、１．５Ｖのコインタイプの電池５によって電源されることが好ましい。電池のアノード５は、供給ライン１５及び２５、接続型時計用ＡＳＩＣ  １並びにマイクロコントローラ２と接続している。
【００３３】
マイクロコントローラ２は、プロセッサコア、メモリ及びプログラマブル入出力周辺器機を通常含む汎用プログラマブル器機である。マイクロコントローラ２は、ウェークアップユニット１４を有し、外部ボタン若しくはセンサ２４でユーザによって、又はシリアルインターフェース６を介して接続型時計用ＡＳＩＣ  １によってウェークアップされ得る。このとき、インターフェース２６とウェークアップユニット１４の間に接続が存在する。マイクロコントローラ２は、自身をシャットダウンすることもできるし、前記外部ボタン若しくはさらなる外部ボタン又はセンサ２４でユーザによってシャットダウンさせることもできる。或いはマイクロコントローラ２は、シリアルインターフェース６を介して接続型時計用ＡＳＩＣ  １によってシャットダウンされ得る。このようなシャットダウン後、マイクロコントローラ２はスリープモードになり、電力消費が最少となる。
【００３４】
図２に示されている接続型時計用ＡＳＩＣ  １は、ＡＳＩＣ  １００、シリアルインターフェース１１８（この場合はＩ２Ｃインターフェース１０２であるが、ＳＰＩ若しくは他の集積回路インターフェースであってもよい）、３２’７６８Ｈｚ水晶振動子１１７、秒用のモーター１１４及び日付用のモーター１１５、並びにモーター以外の機能（例えば、アラーム用の圧電ブザー）を駆動するための補助出力１１６から構成される。
【００３５】
ＡＳＩＣ  １００は、３２’７６８Ｈｚ発振器１０１、Ｉ２Ｃインターフェース１０２、不揮発性ワンタイムプログラマブル（ＯＴＰ）メモリ１０３、様々な時計用パラメーターのレジスタ１０４、時間精度を調整するための抑制レジスタ（inhibition register）１０５、３２’７６８Ｈｚのクォーツ周波数を時計としての作動のために好適な幾つかの周波数に分割するための分周器チェーン１０６、時刻表示値を含むディスプレイカウンタ１０７、うるう年についての情報を含む、秒、分、時間、日、月及び年の実際の時間値を含む基準時間カウンタカレンダー１０８、アラームの時間値を貯蔵するためのアラームカウンタ１０９、全ての論理作動を制御する論理ブロック１１０、秒針用モーター駆動回路１１１、日付用モーター駆動回路１１２、及び他の機能に対する出力を駆動する補助駆動回路１１３から構成される。不揮発性メモリは、ワンタイムプログラマブル（ＯＴＰ）メモリを含むか、又はワンタイムプログラマブル（ＯＴＰ）メモリからなる。
【００３６】
図１中のモータードライバ１１１，１１２を具体例として示す。必要に応じて追加的なモータードライバを追加することもできるし、置換することもできる。例えば、追加的なモータードライバは、クロノグラフ用の追加モーターを駆動するために追加することができる。接続型時計のコンセプト（概念）は、ＯＴＰを用いて、又はＩ２Ｃインターフェース１１８を介するコントローラからの通信によって時計レジスタ１０４を介して、モーターパルス幅、デューティーサイクル及び周期のようなモーターのパラメーターを設定することを可能にする。
【００３７】
図２に示す様に、接続型時計用集積回路はアラームドライバ又はバイブレータードライバ等の機能に追加して、他の出力１１６を有していてもよい。
【００３８】
Ｉ２Ｃインターフェース１０２は、時計レジスタ１０４及びカウンタの外部コントローラによる読み書きを可能にする。時計用アラーム時間カウンタ１０９は、図１のコントローラ２をウェークアップさせるために用いることができるＩ２Ｃラインに割り込む引き金を引くことができる。そして今度はコントローラ２は、異なる高性能な機能を可能にし、マイクロコントローラ２のＩ２Ｃインターフェース２６上にアドレスをとることも可能なＲＦ−リンク（例えば、ブルートゥース（登録商標））又はセンサ（例えば、バイブレーションセンサ）等の他の要素をウェークアップさせることができる。
【００３９】
図３は、本発明の実施形態によるシリアルインターフェース用の時間に対する割り込み信号のダイアグラムを示す。Ｉ２Ｃバスを介して割り込みをフラッグするために、接続型時計用ＡＳＩＣ  １００は、制限された機能を有するＩ２Ｃマスターのように振る舞う。ＳＴＡＲＴ条件２０１の送信後、時間ｔＤ−ＳＴＡＳＴＯ後、直ちにＳＴＯＰ条件２０２が続くことによって割り込み信号が送られる。これが図３に示されている。さらなるＩ２Ｃマスター機能がサポートされないことは必須ではないが可能である。しかし、上記したものに対するＩ２Ｃマスター機能を制限することは可能である。
【００４０】
時計用ムーブメントは、集積回路１若しくは１００、水晶振動子１１若しくは１１７、及びクォーツ時計の実現のために必要な全ての機械的特徴を含む。上記で概説したように接続型時計用ＡＳＩＣ  １を用いることにより、コントローラ２が、ＡＳＩＣの関係するレジスタコンテンツ（associated register content）を介して時計用ムーブメント３若しくは１１４若しくは１１５から正確な時間を読むこと又は正確な時間を時計用ムーブメント中に設定することを可能にする。接続型時計用ＡＳＩＣ  １は、上記で概説したように、コントローラ２を後でウェークアップするために使うことができる、時計用ムーブメント中のアラームを設定することを可能にする。即ち、アクティブなマイクロコントローラ２は、周辺器機に対して次に自身が作動する設定した時間を計算し、この時間をウェークアップ信号としてシリアルバスを介して、この時間を受け入れ、この信号を使ってマイクロコントローラ２を所定の時間にウェークアップさせるようにプログラムされるＡＳＩＣ  １に伝送する。一方で、マイクロコントローラ２は自動的にシャットダウンするか、又は−より確実には−ＡＳＩＣ  １がウェークアップ信号としてその時間を受け付けたことを使って、シリアルバスを介してマイクロコントローラ２にシャットダウン信号を送り返す。そのような機能の具体例は、ＧＳＭ（登録商標）基地局又は位置決定のためのＧＰＳユニットとコンタクトを取ることであってもよい。
【００４１】
通常、コントローラ２は時計の「時計の部品」よりはるかに多量の電気を使用する（例えば、コントローラ２は、おそらく数マイクロアンペアの電力を消費し、ドライバを有する接続型時計用ＡＳＩＣ  １は、おそらく１００ナノアンペア未満の電力を消費するだろう。）ので、電池５からの電力は、必要が無いときはコントローラ２のスイッチを切ることで節約することができる。コントローラ２は、ライン２４上のボタンによって、又はシリアルインターフェース６及び２６を介して接続型時計用ＡＳＩＣ  １からの割り込みによってスイッチをオン又はオフすることができる。時計用ムーブメントは、通常のクォーツ時計に匹敵する電力消費速度で継続的に稼働することができる。
【００４２】
これは以下の利点を有する：
１）「スマートウォッチ」又は「スマートウェアラブル機器」のメーカーは、「スマート」機能が無効にされたときに、時計機能を保持する。
２）「スマートウォッチ」又は「スマートウェアラブル機器」の消費電力は、不要なときには「スマート」機能のスイッチを切ることで低減できる。
３）一般的な時計用ムーブメントは、魅力的でファッショナブルなデザインを可能にするために長年にわたって開発されてきた。「スマート」機能は、すでにファッショナブルであると考えられているデザインに組み込むことができる。
４）一般的な時計用ムーブメントは、特定の水深に対して防水されている。
５）接続型時計用ムーブメントは、「スマート」機能を効果的に所定の時間に自身をウェークアップさせる割り込みによって「スマート」機能の電力をオンにすることができる。或いは、必要なときにユーザがボタンを使ってコントローラのスイッチをオンにすることができる。
６）スマート機能は、接続型時計を使用して表示され又は信号化されてもよい。次のような具体例がある：歩数のカウント、睡眠時間のカウント、コンパス、着信のための振動「静音」アラーム、自動タイムゾーン調整器、バロメーター及び温度。
７）システムは特定のマイクロコントローラ２に限定されない。ＡＳＩＣ  １は別個のチップなので、ユーザは、自身が望むコントローラのタイプを自由に選択できる。
８）接続型時計用ＡＳＩＣ  １は、不揮発性メモリを用いて、スタンドアローンの時計用ＡＳＩＣとして組み込むこともできるし、又は必要に応じてコントローラを用いて組み込むこともできるという利点を有する。これは、製造業者に柔軟性を与え、製造業者の目録中に無くてはならないＡＳＩＣの数を削減する。
９）説明した接続型時計用ＡＳＩＣは、月及び年の情報が利用できるので、月初／月末に日付の正しい数が表示されるように日付を駆動できる利点も有する。これは、例えば、日付表示のための別のモーターを用いて行うことができる。
【符号の説明】
【００４３】
１  接続型時計用ＡＳＩＣ
２  マイクロコントローラ
３  アナログ時計用ムーブメント
４  さらなる機能ユニット
５  電池
６  Ｉ２Ｃインターフェース
１１  水晶振動子
１４  ウェークアップユニット
１５  供給ライン
１６  レジスタ
２１  時計用ムーブメント接続
２４  ウェークアップライン
２５  供給ライン
２６  Ｉ２Ｃインターフェース
３６  レジスタ
１００  接続型時計用ＡＳＣＩ
１０１  ３２ｋＨｚ発振器
１０２  Ｉ２Ｃインターフェース
１０３  ＯＴＰ
１０４  時計用レジスタ
１０５  抑制レジスタ（inhibition register）
１０６  分周器
１０７  表示カウンタ
１０８  基準時間カウンタ
１０９  アラーム時間カウンタ
１１０  論理ブロック
１１１  モータードライバ秒
１１２  モータードライバ日
１１３  モータードライバ補助システム
１１４  モーター秒
１１５  モーター日
１１６  補助モーター
２０１  開始信号時間
２０２  停止信号時間
【図１】
0006668363.tif 000002
【図２】
0006668363.tif 000003
【図３】
0006668363.tif 000004